(57)【特許請求の範囲】
【請求項１】
キャビネットの前面に使用者の身体を支承するもたれバーを備え、キッチンで使用される機器を操作するスイッチ装置を、前記もたれバーに設けたキッチンであって、前記もたれバーは水平方向に配置されており、前記もたれバーにスイッチ取付孔が形成されているとともに、前記スイッチ装置は、前記スイッチ取付孔に装入され、本体とスイッチを備えており、前記スイッチと前記もたれバーの上面が略同一高さに形成されていることを特徴とするキッチン。
【請求項２】
前記スイッチ装置は、複数の機器を操作する複数のスイッチを有することを特徴とする請求項１記載のキッチン。
【請求項３】
前記スイッチ装置は、前記もたれバーの端部に配置されていることを特徴とする請求項１又は２記載のキッチン。
【請求項４】
キャビネットの前面に使用者の身体を支承するもたれバーを備え、キッチンで使用される機器を操作するスイッチ装置が、前記もたれバーに着脱自在に取り付けられたキッチンであって、前記もたれバーは水平方向に配置されており、前記スイッチ装置は、ワイヤレスレスタイプのリモートスイッチであり、前記機器に前記リモートスイッチの操作信号を受信して動作する制御器が設けられていることを特徴とするキッチン。
【請求項５】
前記機器は、照明、換気扇、水栓、給湯器、電磁調理器、食器洗い器、食器乾燥機及び浄水用水栓を含む群から選択される１又は２以上の機器であることを特徴とする請求項１、２、３又は４記載のキッチン。
【請求項６】
前記スイッチ装置は、前記キッチンで使用される機器に加えて、前記キッチン以外で使用される機器を操作するスイッチを有することを特徴とする請求項１、２、３、４又は５記載のキッチン。
【発明の詳細な説明】
【０００１】
【発明の属する技術分野】
本発明は、キッチンに関し、特にキャビネットの前面上部に、スイッチ付きのもたれバーを備えたキッチンに関する。
【０００２】
【従来の技術】
キッチンでの洗い作業や、調理作業は、比較的時間がかかる場合が多いから、身体、特に足腰への負担が大きく、疲れや、足腰の病気を引き起こしやすい。このようなことから、近年、キッチンでの洗い作業や、調理作業における身体、特に足腰への負担を軽減し、疲れや足腰の病気を防止し、作業能率をアップするために、流し台の前面上部に、身体を支承（身体をもたれかけさせて支持）する、もたれバーが開発されている（特開平７−２０４０３８号、特許第３０７７８７５号参照。）。
【０００３】
【発明が解決しようとする課題】
しかしながら、従来のキッチン用のもたれバーにおいては、体を支えるためだけのものであり、他の機能を発揮させて使用するようなことがなかった。
【０００４】
ところで、キッチンでの食器類の洗い作業や調理作業は、比較的長い作業時間を要するが、この作業中、キッチンの構成機器又は周辺機器、例えば、照明、換気扇、水栓、給湯器、電磁調理器、食器洗い器、食器乾燥機及び浄水用水栓等のスイッチを操作しなくてはならないことが生じる。
【０００５】
近年、システムキッチンが普及し、キッチン関連機器類の電化が著しい状況では、このようなスイッチ操作の頻度はきわめて多くなっており、それぞれの機器のところまで頻繁に移動してスイッチ操作をしなくてはならず、煩わしいだけでなく、その移動距離は累積するとかなりの歩行距離となっている。
【０００６】
本発明は、上記キッチン用のもたれバーの従来の問題、及びキッチンでの食器類の洗い作業や調理作業中のスイッチ操作のための労働や煩わしさを解決することを目的とするものである。本発明者らは、もたれバーが、比較的長い間作業する流し台の前面において、作業者の手元に取り付けられている点に着目し、このもたれバーにスイッチを取り付けるという、きわめて斬新かつユニークな発想を得た。
【０００７】
従って、本発明は、キッチンでの食器類の洗い作業や業調理作業において、作業者がスイッチ操作のために移動等する手間が省け、手元で一ヶ所で集中的に操作できるスイッチ手段を実現することが基本的な課題であり、その具体的課題は、身体を支えるだけでなく、スイッチ機能を備え、より多機能なもたれバーを備えたキッチンを実現することである。
【０００８】
【課題を解決するための手段】
本願発明は上記課題を解決するために、キャビネットの前面に使用者の身体を支承するもたれバーを備え、キッチンで使用される機器を操作するスイッチ装置を、前記もたれバーに設けたキッチンであって、前記もたれバーは水平方向に配置されており、前記もたれバーにスイッチ取付孔が形成されているとともに、前記スイッチ装置は、前記スイッチ取付孔に装入され、本体とスイッチを備えており、前記スイッチと前記もたれバーの上面が略同一高さに形成されていることを特徴とするキッチンを提供する。
【０００９】
前記スイッチ装置は、複数の機器を操作する複数のスイッチを設けてもよい。
【００１０】
前記スイッチ装置は、前記もたれバーの端部に配置してもよい。
【００１１】
本願発明は上記課題を解決するために、キャビネットの前面に使用者の身体を支承するもたれバーを備え、キッチンで使用される機器を操作するスイッチ装置が、前記もたれバーに着脱自在に取り付けられたキッチンであって、前記もたれバーは水平方向に配置されており、前記スイッチ装置は、ワイヤレスレスタイプのリモートスイッチであり、前記機器に前記リモートスイッチの操作信号を受信して動作する制御器が設けられていることを特徴とするキッチンを提供する。
【００１２】
前記機器は、照明、換気扇、水栓、給湯器、電磁調理器、食器洗い器、食器乾燥機及び浄水用水栓等である。
【００１３】
前記スイッチ装置は、前記キッチンで使用される機器に加えて、前記キッチン以外で使用される電気洗濯機や浴室の換気扇等の機器を操作するスイッチを有する構成としてもよい。
【００１５】
【発明の実施の形態】
本発明に係るキッチンの実施の形態を、実施例に基づいて図面を参照して以下説明する。
【００１６】
（実施例１）
図１は本発明の実施例１のキッチンを示す図である。この実施例１のキッチン１は、下部の本体として設けられているキャビネット２と、上部の壁付きアッパーキャビネット３とから構成される。
【００１７】
キャビネット２は、前面の扉（例えば扉４）を開いて収納できる各種の収納部や引き出し５等が設けられている。そして、キャビネット２の天板６には、シンク７及びガスコンロ８が設けられ、さらにシンク７に面して水栓９が設けられている。水栓９は、キャビネット２内に設けられた開閉制御弁１０を介して給水・給湯源に連通されている。
【００１８】
アッパーキャビネット３には、扉１１を開いて収納できる収納部が設けられ、端部には換気扇１２が配設されている。さらに、アッパーキャビネット３の下面には照明１３が取付られている。
【００１９】
このようなキッチン１において、シンク７のほぼ前方であって、キャビネット２の前面化粧板１８に、もたれバー１４（使用者が寄りかかることのできる棒状体）が取り付けられている。本発明に係るキッチン１の特徴的な構成は、このもたれバー１４にスイッチ装置１５を一体に設けた（内蔵した）点である。
【００２０】
図２は、もたれバー１４及びこれに設けられたスイッチ装置１５を詳細に説明する図である。図２（ａ）は、もたれバー１４及びスイッチ装置１５の斜視図を示す図である。もたれバー１４は、プラスチック、スチール等の円筒形部材から形成されており、右端において右側の支持ブラケット１６、左端において左側の支持ブラケット１７にボルト等により固定されている。左右の支持ブラケット１６、１７は、キャビネット２の前面化粧板１８にボルト１９等により固定されている。スイッチ装置１５をもたれバー１４の端部に配置したので、もたれながらのスイッチの操作が可能となり、スイッチの操作性が向上する。
【００２１】
図２（ｂ）は、図２（ａ）のＡ−Ａ断面を示す図であり、図２（ｃ）は、図２（ａ）を支持ブラケット１６の右側方から見た図である。これらの図２（ａ）〜（ｃ）において、円筒形のもたれバー１４に長方形のスイッチ取付孔２０が形成されている。このスイッチ取付孔２０は、その内縁に段部２１が形成されている。さらに円筒形のもたれバー１４の端部には、スイッチ装置に接続された３本の電線２８〜３０を取り出す電線取出口２２が形成されている。
【００２２】
スイッチ装置１５は、その本体２３の上部周縁にフランジ２４が形成されている。スイッチ装置１５は、３つのスイッチ２５〜２７を備えており、これに対応して３本の電線２８〜３０が接続されている。この実施例１では、３つのスイッチ２５〜２７は、それぞれ水栓９（開閉制御弁１０を制御することにより水栓９が開閉される。）、換気扇１２、照明１３のスイッチである。スイッチ２５〜２７の構成は、例えば、押しボタン式、指タッチ式、指センサ式等が採用される。
【００２３】
なお、スイッチは、単なる機器の電源回路の開閉による機器の動作又は停止の操作だけでなく、機器の動作態様（例．水栓９の水量、照明１３の照度、換気扇１２のタイマ動作等）を制御をするような機能を有するものでもよい。
【００２４】
支持ブラケット１６には、電線２８〜３０を挿通する案内孔３１が形成されている。又、キャビネット２の前面化粧板１８の上部には、電線２８〜３０を挿通する挿入孔３２が形成されている。この左右の支持ブラケット１６、１７は、もたれバー１４と樹脂材で一体成形されたものでもよい。
【００２５】
スイッチ装置１５は、スイッチ取付孔２０内にフランジ２４が段部２１に当接するようにして装入され、適宜、ビス止め、あるいは接着剤で固定される。そして、もたれバー１４内から３本の電線２８〜３０は、電線取出口２２、支持ブラケット１６の案内孔３１及びキャビネット２の前面化粧板１８の挿入孔３２を通してキャビネット２内に案内されている。そして３本の電線２８〜３０は、それぞれ水栓９の開閉制御弁１０、換気扇１２、照明１３に接続されている。
【００２６】
以上のような構成のキッチン１の作用を説明する。キッチン１の使用者は、シンク７で食器洗いや調理作業を行うが、もたれバー１４に足腰をもたれかけさせることができるから、足腰への負担が少なくなり、疲労が軽減される。そして、このような作業をしながら、必要に応じて、もたれバー１４に設けられたスイッチ２５〜２７を選択的に押して、照明１３、換気扇１２、水栓９のいずれかを選択的に操作することができる。
【００２７】
（実施例２）
図３は、本発明の実施例２を示すキッチン１の、特にもたれバー３３の構成を示す図である。図３（ａ）は斜視図、図３（ｂ）は図３（ａ）の要部（スイッチ装置の取り付け部）の断面図である。この実施例２のキッチンは、実施例１とはほぼ同じであるが、スイッチ装置３４がもたれバー３３に別体で着脱可能に取り付けられた構成において異なる。もたれバーは、中空材でも中実材でもどちれでもよいが、この実施例では、図３（ｂ）に示すように中実材で形成したもたれバー３３を示した。
【００２８】
実施例２のスイッチ装置３４は、実施例１同様に、３つのスイッチ３５〜３７を有し、このスイッチ装置３４の本体３８には、左右一対湾曲状の取付片３９が付設されている。この取付片３９は、弾力的な部材で構成されている。
【００２９】
３つのスイッチ３５〜３７は、実施例１同様に、それぞれ水栓９、換気扇１２、照明１３に接続されている。これら３つのスイッチ３５〜３７に接続される３本の電線（図示せず）は、結束されて結束電線４０となっており、その端部にはプラグ４１が取り付けられている。
【００３０】
一方、キャビネット２の前面化粧版１８の上部には、プラグ４１を挿入するコンセント４２が設けられている。そして、このコンセント４２から、キャビネット内に導入された結束電線４０を構成する３つの電線は、実施例１同様に、それぞれ水栓９の開閉制御弁１０、換気扇１２、照明１３に接続されている。
【００３１】
この実施例２のキッチン１の使用に際しスイッチ装置３４を利用する場合は、スイッチ装置３４の本体３８を取付片３９でキッチン１のもたれバー３３に引っ掛けて弾力的に装着する。そして、結束電線４０のプラグ４１をコンセント４２に挿入する。これにより、実施例１同様に、シンク７を利用した作業をしながら、必要に応じてスイッチ３４を押して、水栓９、換気扇１２、照明１３の操作をすることができる。
【００３２】
この実施例２では、実施例１のように、もたれバー３３にスイッチを内蔵する必要がなく、その構造は簡単となる。そして、キャビネット２内に上記コンセントと機器間の配線をしておけば、スイッチ装置３４をもたれバー３３に着脱自在に簡単に取り付けるだけで、スイッチ装置３４を手元から操作可能となる。
【００３３】
このような着脱自在のスイッチ装置を利用する場合は、スイッチ装置３４をワイヤレスタイプのリモートスイッチにすれば、制御される機器側（水栓９の開閉制御弁１０、換気扇１２、照明１３）の既存の配線中にこのリモートスイッチの操作信号を受信して動作する制御器を設ければ、キャビネット２内の新たに配線工事をすることなく、既存のもたれバー３３にスイッチ装置３４を取り付けるだけで、本発明は適用可能である。
【００３４】
以上、本発明の実施の形態を実施例１、２に基づいて説明したが、本発明は、上記実施例１、２に限定されることなく、特許請求の範囲記載の技術的事項の範囲内で、以下に示すようにいろいろな実施の形態があることは言うまでもない。
【００３５】
実施例１及び２では、スイッチで操作される機器として、キッチンで使用される水栓９、換気扇１２、照明１３について説明したが、これらの機器に限らず、その他の給湯器、電磁調理器、食器洗い器、食器乾燥機及び浄水用水栓等のキッチンを構成する各種の機器、周辺機器類に適用可能である。
【００３６】
さらに、本発明に係るキッチンのスイッチ装置は、キッチンで使用される機器だけでなく、キッチン以外で使用される機器、例えば電気洗濯機等キッチン以外の場所で使用される機器等の操作を行うスイッチに適用してもよい。
【００３７】
実施例１及び２では、スイッチ装置１５、３４の３つのスイッチを、それぞれ水栓９の開閉制御弁１０、換気扇１２、照明１３の開閉制御弁１０に接続したが、これらの機器とは別に、キッチンの電源装置に配線を介して接続される電力取出用コンセント（コンセント４２とは異なる。）をキッチンに付設し、この配線中に開閉制御装置を設け、この開閉制御装置に接続され、開閉制御装置を操作するスイッチを、もたれバーに取り付けたスイッチ装置に設ける構成としてもよい。
【００３８】
このような構成とすれば、この電力取出用コンセントに接続されて、キッチンにおいてオプション的に使用される機器を、もたれバーのスイッチ装置によって、手元で一括して集中的に操作することが可能となる。
【００３９】
シンク７での洗い作業、調理作業は、立ったまま行われ、しかもキッチンでの他の作業に比べて比較的長くかかることから、これら作業では身体、特に足腰への負担が大きく、そのために、図１に示すように、もたれバーをシンクの前方に設けられることが多い。
【００４０】
しかし、特にシンクの前方だけでなく、もたれバー取付位置や長さは、例えば、キャビネットのほぼ横幅方向にわたって、シンクだけでなく、ガスコンロの前方まで伸びるようにしたものでもよい。又、もたれバーは、スイッチの配線さえ付設できれば、円筒部材でなくても中実円柱状部材でもよい。
【００４１】
なお、このように各種機器のスイッチを備えたもたれバーは、キッチンのもたれバーだけでなく、身体を支承するもたれバーであればどのようなものにでもスイッチを取り付ける技術思想を適用することはできる。例えば、建物の各所に付設される身障者、老人等の支承用のバーが利用されているが、これらにも本発明同様にスイッチを取り付けることにより、緊急連絡用の呼び出しスイッチとしての機能を発揮することもできる。
【００４２】
【発明の効果】
以上の構成から成る本発明に係るキッチンによれば、次のような効果が生じる。
（１）キッチン用のもたれバーに、キッチンを構成する機器や周辺機器を操作するスイッチ装置を設ける構成としたので、使用者は、もたれバーに寄りかかりながらキッチンでの洗い作業、調理作業ができるから、長時間の作業に起因する身体、特に足腰の疲労や病気を防止することができるだけでなく、各種機器のスイッチ装置を、夫々の機器のところまで移動することなく、手元で集中・一括して操作することができる。従って、使用者にとっては、機器の操作のために一々移動してスイッチ操作をするような負担や煩わしさがなくなる。
【００４３】
（２）スイッチ操作の対象の機器は、例えば、照明、換気扇、水栓、給湯器、電磁調理器、食器洗い器、食器乾燥機及び浄水用水栓等のキッチンの構成機器や周辺関連機器はもとより、それだけでなく、電気洗濯機、浴室換気扇等、キッチン以外の各種機器のスイッチをキッチンでの作業をしながら操作することができる。
【００４４】
（３）キッチン用のもたれバーに、スイッチ装置を一体に組み込む（内蔵する）構成だけでなく、スイッチ装置をもたれバーに着脱自在に取り付ける構成とすることにより、既存のもたれバーにも簡単スイッチ装置を取り付けて利用することができる。
【図面の簡単な説明】
【図１】本発明に係る自動排水栓の実施例１のキッチンの全体構成を示す斜視図である。
【図２】本発明に係る自動排水栓の実施例１のキッチンの要部を示す図である。
【図３】本発明に係る自動排水栓の実施例２のキッチンの要部を示す図である。
【符号の説明】
１    キッチン
２    キャビネット
３    アッパーキャビネット
６    天板
７    シンク
８    ガスコンロ
９    水栓
１０    （水栓用）開閉制御弁
１２    換気扇
１３    照明
１４、３３    もたれバー
１５、３４    スイッチ装置
１６、１７    支持ブラケット
１８    前面化粧板
２０    スイッチ取付孔
２５、２６、２７、３５、３６、３７    スイッチ
２８、２９、３０    電線
３９    （スイッチ装置の）取付片
４０    結束電線
【図１】
0004457489.tif 000002
【図２】
0004457489.tif 000003
【図３】
0004457489.tif 000004